(57)【要約】【課題】平衡出力型発振器の消費電力を低減する。【解決手段】シングルエンド型ＶＣＯ１０から出力された不平衡型発振信号が平衡出力型弾性表面波フィルタ１２の入力櫛形電極２０に入力されると、この不平衡型発振信号は入力側電極１４にて弾性表面波に変換されて圧電性基板表面を伝搬する。この弾性表面波は出力側電極１６にて受信され、出力端子ＯＵＴ１，ＯＵＴ２から互いに逆位相の平衡型発振信号として出力される。これによって、シングルエンド型ＶＣＯ１０から出力された不平衡型発振信号が平衡型発振信号に変換される。【選択図】図１
2005094158.tif 000002
【特許請求の範囲】
【請求項１】
不平衡型発振信号を出力するシングルエンド型発振回路と、
前記不平衡型発振信号が入力され、該不平衡型発振信号を平衡型発振信号に変換して出力する平衡出力型弾性表面波デバイスと、
を有することを特徴とする平衡出力型発振器。
【請求項２】
請求項１に記載の平衡出力型発振器であって、
前記平衡出力型弾性表面波デバイスは、平衡出力型弾性表面波フィルタであり、
前記不平衡型発振信号の周波数以外の帯域における雑音成分が抑制されるように、該平衡出力型弾性表面波フィルタの通過帯域が設定されていることを特徴とする平衡出力型発振器。
【請求項３】
請求項１に記載の平衡出力型発振器であって、
前記シングルエンド型発振回路から出力される不平衡型発振信号の周波数が制御信号によって可変であることを特徴とする平衡出力型発振器。
【請求項４】
請求項３に記載の平衡出力型発振器であって、
前記平衡出力型弾性表面波デバイスは、平衡出力型弾性表面波フィルタであり、
前記不平衡型発振信号の周波数可変範囲以外の帯域における雑音成分が抑制されるように、該平衡出力型弾性表面波フィルタの通過帯域が設定されていることを特徴とする平衡出力型発振器。
【請求項５】
請求項１〜４のいずれか１に記載の平衡出力型発振器であって、
前記平衡出力型弾性表面波デバイスは、２つの入力櫛形電極により弾性表面波を励振する開口が形成された入力側電極と、２つの出力櫛形電極により該弾性表面波を受信する開口が形成された出力側電極と、を有し、
入力櫛形電極の一方に前記不平衡型発振信号が入力され、入力櫛形電極の他方は接地され、２つの出力櫛形電極から前記平衡型発振信号が出力されることを特徴とする平衡出力型発振器。
【発明の詳細な説明】
【技術分野】
【０００１】
本発明は、平衡型発振信号を出力する平衡出力型発振器に関する。
【背景技術】
【０００２】
従来の平衡出力型発振器の一例が図２に示されている。この従来の平衡出力型発振器は、シングルエンド型ＶＣＯ１０及び差動増幅器１８を備えている。
【０００３】
シングルエンド型ＶＣＯ１０は、不平衡型発振信号を出力端子１０ＯＵＴから差動増幅器１８へ出力する。不平衡型発振信号の周波数については、シングルエンド型ＶＣＯ１０に入力される制御電圧によって変化させることができる。
【０００４】
差動増幅器１８は、複数のトランジスタ１８−１〜１８−４を有している。トランジスタ１８−１のベースがシングルエンド型ＶＣＯ１０の出力端子１０ＯＵＴと接続されており、トランジスタ１８−１のコレクタがトランジスタ１８−３のベースと接続されている。そして、トランジスタ１８−２のベースがシングルエンド型ＶＣＯ１０の出力端子１０ＯＵＴと接続されており、トランジスタ１８−２のコレクタがトランジスタ１８−４のベースと接続されている。さらに、トランジスタ１８−２のベースはコンデンサＣを介して接地されている。また、トランジスタ１８−３のエミッタが差動増幅器１８の出力端子ＯＵＴ１と接続されており、トランジスタ１８−４のエミッタが差動増幅器１８の出力端子ＯＵＴ２と接続されている。差動増幅器１８の出力端子ＯＵＴ１，ＯＵＴ２からは、互いに逆位相の平衡型発振信号が出力される。
【０００５】
このように、この従来の平衡出力型発振器においては、シングルエンド型ＶＣＯ１０から出力された不平衡型発振信号を差動増幅器１８によって平衡型発振信号に変換することで、平衡型発振信号を得ている。
【発明の開示】
【発明が解決しようとする課題】
【０００６】
この従来の平衡出力型発振器においては、シングルエンド型ＶＣＯ１０から出力された不平衡型発振信号を平衡型発振信号に変換するために、差動増幅器１８を用いている。したがって、差動増幅器１８内のトランジスタ１８−１〜１８−４により電力が消費される分、消費電力が増大してしまうという問題点がある。
【０００７】
本発明は、消費電力を低減することができる平衡出力型発振器を提供することを目的とする。
【課題を解決するための手段】
【０００８】
本発明に係る平衡出力型発振器は、不平衡型発振信号を出力するシングルエンド型発振回路と、前記不平衡型発振信号が入力され、該不平衡型発振信号を平衡型発振信号に変換して出力する平衡出力型弾性表面波デバイスと、を有することを要旨とする。
【０００９】
本発明によれば、シングルエンド型発振回路から出力された不平衡型発振信号を平衡出力型弾性表面波デバイスによって平衡型発振信号に変換している。これによって、トランジスタを用いることなく不平衡型発振信号を平衡型発振信号に変換することができるので、消費電力を低減することができる。
【００１０】
本発明に係る平衡出力型発振器において、前記平衡出力型弾性表面波デバイスは、平衡出力型弾性表面波フィルタであり、前記不平衡型発振信号の周波数以外の帯域における雑音成分が抑制されるように、該平衡出力型弾性表面波フィルタの通過帯域が設定されているものとすることもできる。こうすれば、平衡出力型弾性表面波フィルタによって雑音成分を抑制することができるので、優れた位相雑音特性を得ることができる。
【００１１】
本発明に係る平衡出力型発振器において、前記シングルエンド型発振回路から出力される不平衡型発振信号の周波数が制御信号によって可変であるものとすることもできる。この態様の本発明に係る平衡出力型発振器において、前記平衡出力型弾性表面波デバイスは、平衡出力型弾性表面波フィルタであり、前記不平衡型発振信号の周波数可変範囲以外の帯域における雑音成分が抑制されるように、該平衡出力型弾性表面波フィルタの通過帯域が設定されているものとすることもできる。こうすれば、平衡出力型弾性表面波フィルタによって雑音成分を抑制することができるので、優れた位相雑音特性を得ることができる。
【００１２】
本発明に係る平衡出力型発振器において、前記平衡出力型弾性表面波デバイスは、２つの入力櫛形電極により弾性表面波を励振する開口が形成された入力側電極と、２つの出力櫛形電極により該弾性表面波を受信する開口が形成された出力側電極と、を有し、入力櫛形電極の一方に前記不平衡型発振信号が入力され、入力櫛形電極の他方は接地され、２つの出力櫛形電極から前記平衡型発振信号が出力されるものとすることもできる。
【発明を実施するための最良の形態】
【００１３】
以下、本発明を実施するための形態（以下実施形態という）を、図面に従って説明する。
【００１４】
図１は、本発明の実施形態に係る平衡出力型発振器の構成の概略を示す図である。本実施形態に係る平衡出力型発振器は、シングルエンド型ＶＣＯ１０及び平衡出力型弾性表面波フィルタ１２を備えている。
【００１５】
シングルエンド型ＶＣＯ１０は、不平衡型発振信号を出力端子１０ＯＵＴから平衡出力型弾性表面波フィルタ１２へ出力する。不平衡型発振信号の周波数については、シングルエンド型ＶＣＯ１０に入力される制御電圧によって変化させることができる。なお、シングルエンド型ＶＣＯ１０内の回路構成については周知の構成で実現可能なため、図１では図示を省略している。
【００１６】
平衡出力型弾性表面波フィルタ１２は、図示しない圧電性基板上に形成された入力側電極１４及び出力側電極１６を有している。
【００１７】
入力側電極１４は、２つの入力櫛形電極２０，２１によって構成されている。入力櫛形電極２０の櫛部２０−１と入力櫛形電極２１の櫛部２１−１とが対向配置されることで弾性表面波を励振する開口が形成されている。入力櫛形電極２０は平衡出力型弾性表面波フィルタ１２の入力端子ＩＮと接続されている。平衡出力型弾性表面波フィルタ１２の入力端子ＩＮはシングルエンド型ＶＣＯ１０の出力端子１０ＯＵＴと接続されており、シングルエンド型ＶＣＯ１０から出力された不平衡型発振信号は入力櫛形電極２０に入力される。一方、入力櫛形電極２１は接地されている。
【００１８】
出力側電極１６は、２つの出力櫛形電極２２，２３によって構成されている。出力櫛形電極２２の櫛部２２−１と出力櫛形電極２３の櫛部２３−１とが対向配置されることで入力側電極１４により励振された弾性表面波を受信する開口が形成されている。出力櫛形電極２２，２３は平衡出力型弾性表面波フィルタ１２の出力端子ＯＵＴ１，ＯＵＴ２とそれぞれ接続されている。
【００１９】
ここで、平衡出力型弾性表面波フィルタ１２の通過帯域については、シングルエンド型ＶＣＯ１０から出力される不平衡型発振信号の周波数可変範囲における信号成分を通過させ、かつ不平衡型発振信号の周波数可変範囲以外の帯域における雑音成分を抑制するように設定されている。
【００２０】
シングルエンド型ＶＣＯ１０から出力された不平衡型発振信号が入力櫛形電極２０に入力されると、この不平衡型発振信号は入力側電極１４にて弾性表面波に変換されて圧電性基板表面を伝搬する。そして、この弾性表面波が出力側電極１６にて受信され、出力端子ＯＵＴ１，ＯＵＴ２から互いに逆位相の平衡型発振信号として出力される。このように、本実施形態においては、シングルエンド型ＶＣＯ１０から出力された不平衡型発振信号が平衡出力型弾性表面波フィルタ１２によって平衡型発振信号に変換される。
【００２１】
一方、シングルエンド型ＶＣＯ１０から出力された周波数可変範囲以外の帯域における雑音成分については、入力側電極１４にてほとんど励振されず出力側電極１６にてほとんど受信されないため、出力端子ＯＵＴ１，ＯＵＴ２における雑音成分は平衡出力型弾性表面波フィルタ１２を通過させることで抑制される。
【００２２】
以上説明したように、本実施形態によれば、シングルエンド型ＶＣＯ１０から出力された不平衡型発振信号を平衡出力型弾性表面波フィルタ１２によって平衡型発振信号に変換している。これによって、トランジスタを用いることなく不平衡型発振信号を平衡型発振信号に変換することができるので、平衡出力型発振器の消費電力を低減することができる。
【００２３】
さらに、本実施形態においては、シングルエンド型ＶＣＯ１０から出力される不平衡型発振信号の周波数可変範囲以外の帯域における雑音成分が抑制されるように、平衡出力型弾性表面波フィルタ１２の通過帯域が設定されている。このような通過帯域の設定により、シングルエンド型ＶＣＯ１０から出力された雑音成分を平衡出力型弾性表面波フィルタ１２により抑制することができるので、優れた位相雑音特性を得ることができる。
【００２４】
以上の説明においては、シングルエンド型ＶＣＯ１０からの不平衡型発振信号が入力される平衡出力型弾性表面波デバイスが平衡出力型弾性表面波フィルタである場合について説明した。ただし、本実施形態においては、弾性表面波フィルタ以外の平衡出力型弾性表面波デバイスを用いても平衡出力型発振器の消費電力を低減することができる。なお、その場合、良好な位相雑音特性を得るためには、シングルエンド型ＶＣＯ１０にて発生する雑音成分を抑制するフィルタを設けることが好ましい。
【００２５】
また、以上の説明においては、発振信号の周波数が可変である平衡出力型ＶＣＯの場合について説明したが、本発明は発振信号の周波数が変化しない平衡出力型発振器においても適用が可能である。その場合は、シングルエンド型発振器から出力される不平衡型発振信号の周波数以外の帯域における雑音成分が抑制されるように、平衡出力型弾性表面波フィルタ１２の通過帯域を設定すればよい。
【００２６】
以上、本発明を実施するための形態について説明したが、本発明はこうした実施形態に何等限定されるものではなく、本発明の要旨を逸脱しない範囲内において、種々なる形態で実施し得ることは勿論である。
【図面の簡単な説明】
【００２７】
【図１】本発明の実施形態に係る平衡出力型発振器の構成の概略を示す図である。
【図２】従来の平衡出力型発振器の構成の概略を示す図である。
【符号の説明】
【００２８】
１０  シングルエンド型ＶＣＯ、１２  平衡出力型弾性表面波フィルタ、１４  入力側電極、１６  出力側電極、２０，２１  入力櫛形電極、２２，２３  出力櫛形電極。
【図１】
2005094158.tif 000003
【図２】
2005094158.tif 000004